(57)【要約】      （修正有）【課題】  その袋体の内部に糊などを線状に塗布して接着する加工を施さず、糊しろへの糊塗布のみで、簡易に底糊加工付き封筒を提供する。【解決手段】  袋体表面部はその上辺部にはフラップが、下辺部には糊しろ短辺部が、右辺部には糊しろ長辺部が、左辺部には袋体裏面部が延設されており、袋体表面部と袋体裏面部とが折筋左を折り目として折られ、袋体裏面部と、折筋右を折り目として折られた糊しろ長辺部とが接着されて筒状体となった後、糊しろ短辺部と袋体表面部とが折筋下を折り目として折られ、袋体裏面部と糊しろ短辺部とが接着されて袋状体が形成される封筒であって、袋体裏面部の下部に切欠部を設け、前記切欠部はその上下左右幅が各々、糊しろ短辺部の上下左右幅より小さく、かつ、切欠部の左端は袋体裏面部の左端から折筋左に到達しないところまで切り欠いていることを特徴とする、底糊加工付封筒。【選択図】図１
2011136733.tif 000002
【特許請求の範囲】
【請求項１】
フラップを上部に有する封筒において、袋体裏面部の下部に切欠部を設け、前記切欠部はその上下幅及び左右幅が各々、のりしろ短辺部の上下幅及び左右幅各々より小さいことを特徴とする、底糊加工付封筒。
【発明の詳細な説明】
【技術分野】
【０００１】
本発明は封筒に関し、特に、開封時の内容物破損を防止するために施される、底糊加工付封筒に関する。
【背景技術】
【０００２】
通常、封筒は、その製造工程において、はじめに、主として紙などのシート状基材を型による打ち抜きや、変形裁断により成型された図３で示すような展開図の状態となる。まず、折筋左７を中心に袋体裏面部２を右側に折り、折筋右８を中心に糊しろ長辺部４を左に折ったときに密着する範囲内で、袋体裏面部２に糊を塗布し、折筋右８を中心に糊しろ長辺部４を左に折り袋体裏面部上に接着させ、筒状となる。続いて、糊しろ短辺部５に糊を塗布し、折筋下９を中心に上方向に折り曲げることによって袋体、すなわち封筒が形成される。
【０００３】
底糊加工の場合は図３に示す状態にいて、折筋下９を下端として、それより上部に任意の上下幅と左右は折筋左７から折筋右８の範囲内、折筋下９と平行に糊を塗布し、折筋下９の上側に、図４に示す、内部が接着し非袋体となっている部分１１が形成され、内容物が封筒の下部終端まで移動することができない構造となる。しかし、一般に使用される封筒製造機は、図３に示す、折筋下９を下端として、それより上部に任意の上下幅と左右は折筋左７から折筋右８の範囲内、折筋下９と平行に糊を塗布する機能は無く、別途、付加機能を有する装置を装着するか、最初から前記のような底糊加工機能を備えた特別な封筒製造機を使用しなければならない。
【発明の概要】
【発明が解決しようとする課題】
【０００４】
封筒の内容物がその開封時に、封筒本体と共に破れるなどして破損してしまうことがあるため、一部の製品で、封筒にて構成するいずれかの辺にそって、その袋体の内部に糊を線状に塗布し、図４に示すように、封筒内部が接着され非袋体となっている部分１１を形成させる場合がある。この加工は底糊加工などと呼ばれ、通常の封筒製造工程に加えて、別途、当該部分に糊の塗布を行う工程が必要となる。この加工を施すことができる機能は、一般に使用される封筒製造機には装備されていないことが多く、対応できる製造者も限定的になり、前述のような従来の封筒製造工程より多く工程を必要とするため、より長い納期と、より高い製造コストがかかり、販売価格を上昇させてしまう。
【０００５】
そこで、本発明は、その袋体の内部に糊などを線状に塗布し接着する加工を施さず、糊しろへの糊塗布のみで、簡易に底糊加工付き封筒を提供することを目的とする。
【課題を解決するための手段】
【０００６】
フラップを上部に有する封筒において、袋体裏面部の下部に切欠部を設け、前記切欠部はその上下幅及び左右幅が各々、のりしろ短辺部の上下幅及び左右幅各々より小さいことを特徴とする、底糊加工付封筒。
【発明の効果】
【０００７】
本発明によれば、図４に示すように、底糊加工により内部が接着され非袋体となっている部分１１を伴わずに、図２に示すように、前記のような底糊加工を伴わずに内部が接着され非袋体となっている部分１１が、前記のような底糊加工を施した場合と同等の効果をもたらすことができるので、製造が容易である。
【図面の簡単な説明】
【０００８】
【図１】本発明による底糊加工付封筒の展開図
【図２】本発明による底糊加工付封筒の正面図
【図３】従来からある封筒の展開図
【図４】従来からある封筒の正面図
【発明を実施するための形態】
【０００９】
本発明では、主として紙などのシート状基材を型による打ち抜きや、変形裁断により、図１のように成型する。まず、折筋左７を中心に袋体裏面部２を右側に折り、折筋右８を中心に糊しろ長辺部４を左に折ったときに密着する範囲内で、袋体裏面部２に糊を塗布し、折筋右８を中心に糊しろ長辺部４を左に折り袋体裏面部上に接着させ、筒状とする。続いて、糊しろ短辺部５に糊を塗布し、折筋下９を中心に上方向に折り曲げることによって袋体、すなわち封筒が形成される。この際、切欠部１０の範囲内で、糊しろ短辺部５が袋体表面部３と接着し、図２に示す非袋体部１１を形成するため、内容物が封筒の下部終端まで移動することがなくなり、図４に示すような従来の底糊加工と同等の効果を得られる状態となる。
【符号の説明】
【００１０】
１  フラップ
２  袋体裏面部
３  袋体表面部
４  糊しろ長辺部
５  糊しろ短辺部
６  折筋上
７  折筋左
８  折筋右
９  折筋下
１０  切欠部
１１  内部が接着し非袋体となっている部分
【図１】
2011136733.tif 000003
【図２】
2011136733.tif 000004
【図３】
2011136733.tif 000005
【図４】
2011136733.tif 000006
【手続補正書】
【提出日】平成22年6月21日(2010.6.21)
【手続補正１】
【補正対象書類名】明細書
【補正対象項目名】０００６
【補正方法】変更
【補正の内容】
【０００６】フラップを上部に有する封筒において、袋体裏面部の下部に切欠部を設け、前記切欠部はその上下左右幅が各々、糊しろ短辺部の上下左右幅より小さく、かつ、切欠部の左端は袋体裏面部の左端から折筋左に到達しないところまで切り欠いているため、糊しろ短辺部は切欠部の範囲内で、折筋右より袋体表面部と接着され非袋体部を形成することを特徴とする、底糊加工付封筒。
【手続補正２】
【補正対象書類名】特許請求の範囲
【補正対象項目名】請求項１
【補正方法】変更
【補正の内容】
【請求項１】
フラップを上部に有する封筒において、袋体裏面部の下部に切欠部を設け、前記切欠部はその上下左右幅が各々、糊しろ短辺部の上下左右幅より小さく、かつ、切欠部の左端は袋体裏面部の左端から折筋左に到達しないところまで切り欠いているため、糊しろ短辺部は切欠部の範囲内で、折筋右より袋体表面部と接着され非袋体部を形成することを特徴とする、底糊加工付封筒。
【手続補正書】
【提出日】平成22年11月1日(2010.11.1)
【手続補正１】
【補正対象書類名】明細書
【補正対象項目名】０００２
【補正方法】変更
【補正の内容】
【０００２】  通常、封筒の製造工程は、主に製袋と呼ばれる。従来からある一般的な製袋では、はじめに、主として紙などのシート状の基材を、型による打ち抜きや変形裁断により封筒の展開状態を形成する。前記展開状態となった基材は、袋体表面部上部にフラップを有し、袋体裏面部を左、袋体表面部を右に有した図３で示すような展開図の状態となる。まず、折筋左７を中心に袋体裏面部２を右方向に折り、折筋右８を中心に糊しろ長辺部４を左方向に折った時に密着する範囲内で、袋体裏面部２に糊を塗布し、折筋右８を中心に糊しろ長辺部４を左方向に折り袋体裏面部上に接着させ、筒状となる。続いて、糊しろ短辺部５に糊を塗布し、折筋下９を中心に上方向に折り曲げることによって袋体裏面部上に接着させ袋体、すなわち封筒が形成される。
【手続補正２】
【補正対象書類名】明細書
【補正対象項目名】０００６
【補正方法】変更
【補正の内容】
【０００６】  封筒を展開したとき、袋体表面部と袋体裏面部とフラップと糊しろ長辺部と糊しろ短辺部とが一体に形成された封筒において、袋体表面部はその上辺部にはフラップが、下辺部には糊しろ短辺部が、右辺部には糊しろ長辺部が、左辺部には袋体裏面部が延設されており、袋体表面部と袋体裏面部とが折筋左を折り目として折られ、袋体裏面部と、折筋右を折り目として折られた糊しろ長辺部とが接着されて筒状体となった後、糊しろ短辺部と袋体表面部とが折筋下を折り目として折られ、袋体裏面部と糊しろ短辺部とが接着されて袋状体が形成される封筒であって、袋体裏面部の下部に切欠部を設け、前記切欠部はその上下左右幅が各々、糊しろ短辺部の上下左右幅より小さく、かつ、切欠部の左端は袋体裏面部の左端から折筋左に到達しないところまで切り欠いているため、糊しろ短辺部は切欠部の範囲内で、折筋右より袋体表面部と接着され非袋体部を形成することを特徴とする、底糊加工付封筒。
【手続補正３】
【補正対象書類名】特許請求の範囲
【補正対象項目名】請求項１
【補正方法】変更
【補正の内容】
【請求項１】
封筒を展開したとき、袋体表面部と袋体裏面部とフラップと糊しろ長辺部と糊しろ短辺部とが一体に形成された封筒において、袋体表面部はその上辺部にはフラップが、下辺部には糊しろ短辺部が、右辺部には糊しろ長辺部が、左辺部には袋体裏面部が延設されており、袋体表面部と袋体裏面部とが折筋左を折り目として折られ、袋体裏面部と、折筋右を折り目として折られた糊しろ長辺部とが接着されて筒状体となった後、糊しろ短辺部と袋体表面部とが折筋下を折り目として折られ、袋体裏面部と糊しろ短辺部とが接着されて袋状体が形成される封筒であって、袋体裏面部の下部に切欠部を設け、前記切欠部はその上下左右幅が各々、糊しろ短辺部の上下左右幅より小さく、かつ、切欠部の左端は袋体裏面部の左端から折筋左に到達しないところまで切り欠いているため、糊しろ短辺部は切欠部の範囲内で、折筋右より袋体表面部と接着され非袋体部を形成することを特徴とする、底糊加工付封筒。